(57)【要約】【課題】安価で自由に所望の色を表示することができる表示装置を得る。【解決手段】表示用ＬＥＤ７として白色ＬＥＤを使用し、この表示用ＬＥＤ７の前方に離間して、所望の色の着色フィルム３Ｂを貼り付けた透明樹脂板３Ａからなる着色パネル３を配置する。色の異なる着色フィルム３Ｂを使用することで、所望の発光色を自由に且つ簡単に表示することができる。着色パネル３は、透明樹脂板３Ａの面に有色インクで印刷（例えばシルク印刷）したものであってもよいし、光透過性を有する樹脂に顔料を混合して板状に成形したものであってもよい。【選択図】図２
2009222885.tif 000002
【特許請求の範囲】
【請求項１】
情報を発光表示するための多数の白色発光素子と、
前記白色発光素子の前方に離間配置された光透過性を有する着色板と、
を備えた表示装置。
【請求項２】
前記着色板は、光透過性を有する板材の少なくとも一方の面に着色フィルムを設けたものである請求項１に記載の表示装置。
【請求項３】
前記着色板は、光透過性を有する板材の少なくとも一方の面に有色インクで印刷したものである請求項１に記載の表示装置。
【請求項４】
前記着色板は、光透過性を有する樹脂に顔料を混合して成形したものである請求項１に記載の表示装置。
【発明の詳細な説明】
【技術分野】
【０００１】
本発明は、発光源にＬＥＤ(Light Emitting Diode:発光ダイオード)を用いて情報を発光表示する表示装置に関する。
【背景技術】
【０００２】
従来、表示装置は、ＬＥＤを本体ケースに収納し、本体ケースの表面側（即ち表示面側）に透明板又はダークスモーク板を配置してＬＥＤの発光色で文字やイラストを表現するようにしている。また、特許文献１で開示された表示装置では、表示を見やすくするための光学フィルタを表示面に装着している。特に、種類や特性の異なる複数の光学フィルタを使用してそれらを連結し、表示面の上側と下側のそれぞれに配置した軸に巻き込んで上下に移動できるようにしている。
【０００３】
【特許文献１】特開昭６２−１５６９８８号公報
【発明の開示】
【発明が解決しようとする課題】
【０００４】
ところで、ＬＥＤの光の色はＬＥＤ自身が持っているスペクトル（波長成分）で決まっており、色の種類も限られていることから、表現できる色に限界があった。このため、必ずしも所望の発光色で表示を行えるものではなかった。新色のＬＥＤの開発も進められてはいるが、高価でありコストの面から採用が難しい。また、赤、青、緑、黄、橙などの一般的な市場に流通するＬＥＤのスペクトル波長は、その色特有の波長帯域で発光するものであり、例えば緑色のＬＥＤの前面に異色（例えばピンク）の着色板（光学フィルタを含む）を配置しても、緑色のＬＥＤは当該着色板の波長成分を有していないため、ＬＥＤの色波長だけが着色板を透過するので、効果が得られない。すなわち、期待する発光色を表示することができない。表示装置は、主に店頭での看板など商業的に使用されることから、目立つことと、分り易いことが重要であるが、更に景観を損なわずに周囲と調和することも大切であるので、所望の発光色を自由に表示できることが重要である。
【０００５】
本発明は係る事情に鑑みてなされたものであり、安価で自由に所望の色を表示することができる表示装置を提供することを目的とする。
【課題を解決するための手段】
【０００６】
本発明の表示装置は、情報を発光表示するための多数の白色発光素子と、前記白色発光素子の前方に離間配置された光透過性を有する着色板と、を備えた。
【０００７】
上記構成によれば、広いスペクトル領域を持つ白色発光素子の白色光のうち、着色板の色の波長と同波長の色の成分が該着色板を透過するので、着色板の色を変えるだけで様々な発光色を表示することが可能となる。このように、安価で自由に所望の色を表示することが可能となる。
【０００８】
前記着色板は、例えば以下に示すものが好適である。
（１）光透過性を有する板材の少なくとも一方の面に着色フィルムを設けたもの。
（２）光透過性を有する板材の少なくとも一方の面に有色インクで印刷したもの。
（３）光透過性を有する樹脂に顔料を混合して成形したもの。
（１）〜（３）の着色板のなかでも（１）の着色板は、板材がフラットであれば、着色フィルムを簡単に取り付けることができ、低コストで実現できる。また、（２）の着色板は、インク調合により色や濃度を自由に変えられ、かつ、少ロットでも対応できるという利点が得られる。また、（３）の着色板は、（１）や（２）の着色板と比べて、耐用年数が長いという利点が得られる。
【発明の効果】
【０００９】
本発明の表示装置では、安価で自由に所望の色を表示することができる。
【発明を実施するための最良の形態】
【００１０】
以下、本発明を実施するための好適な実施の形態について、図面を参照して詳細に説明する。
【００１１】
図１は、本発明の一実施の形態に係る表示装置の概観を示す斜視図、図２は図１の表示装置の内部機構の一部を示す図、図３は図１の表示装置の内部機構を省略した縦断面図である。図１〜図３において、本実施の形態の表示装置１は、方形状に形成されたフレーム２と、着色パネル３と、着色パネル３をフレーム２に固定するための化粧ビス５と、多数の表示用ＬＥＤ７を碁盤目状に実装したＬＥＤ基板６と、ＬＥＤ基板６等を固定するシャーシ８と、ＬＥＤ基板６の周縁部に実装された飾り用ＬＥＤ９と、ＬＥＤ基板６に実装された多数の表示用ＬＥＤ７のそれぞれと飾り用ＬＥＤ９の点灯制御を行うコントロールユニット１５（図３参照）とを備える。
【００１２】
図２に示すように、着色パネル３は、光透過性を有する板材である透明樹脂板３Ａと、この透明樹脂板３Ａの内側の面に貼り付けた着色フィルム３Ｂとから構成される。表示用ＬＥＤ７は、発光色が白色のＬＥＤであり、市場に安価に出回っているものである。白色ＬＥＤは広いスペクトル領域を持ち、着色フィルム３Ｂのスペクトル波長のみを透過するので、市場に流通する赤、青、緑、黄、橙などと異なる配色を表示することが可能である。
【００１３】
ここで、白色ＬＥＤの白色光が着色フィルムを透過した後の発光スペクトルを測定した一例を挙げる。図４は、着色パネル発光スペクトル測定条件を示す図であり、白色ＬＥＤである表示用ＬＥＤ７の前方に着色パネル３を離間配置し、着色パネル３を透過した光を光センサ１０で検出する。
【００１４】
図５は、透明樹脂板３Ａにピンク色の着色フィルム３Ｂを貼り付けた着色パネル３の発光スペクトルの変化をグラフ化した図であり、横軸が波長（ｎｍ）、縦軸が相対光度（％）である。また、Ｃｗは表示用ＬＥＤ７の発光スペクトル、Ｃｐｋは表示用ＬＥＤ７の白色光がピンク色の着色パネル３を透過した後の発光スペクトルである。着色フィルム３Ｂを用いない場合、赤（波長が約６３０ｎｍ）、緑（波長が約５４０ｎｍ）、青（波長が約４６０ｎｍ）の発光光度比率で肉眼では白色に見えるが、ピンク色の着色フィルム３Ｂを使用することで、緑（約５４０ｎｍ）付近の相対光度が減少し、赤（約６３０ｎｍ）付近の相対光度が増加して、結果的にピンク色に見えることになる。
【００１５】
また、図６は、透明樹脂板３Ａに緑色の着色フィルム３Ｂを貼り付けた着色パネル３の発光スペクトルの変化をグラフ化した図であり、Ｃｇは表示用ＬＥＤ７の白色光が緑色の着色パネル３を透過した後の発光スペクトルである。緑色の着色フィルム３Ｂを使用した場合は、緑（約５４０ｎｍ）付近の相対光度が増加して、結果的に略緑色に見えることになる。特に、ここで用いている表示用ＬＥＤ７は青の成分が比較的強く表れるものであるので、緑（約５４０ｎｍ）付近の相対光度を増加させることで、緑色に見えることになる。
【００１６】
また、図７は、透明樹脂板３Ａに青色の着色フィルム３Ｂを貼り付けた着色パネル３の発光スペクトルの変化をグラフ化した図であり、Ｃｂは表示用ＬＥＤ７の白色光が青色の着色パネル３を透過した後の発光スペクトルである。青色の着色フィルム３Ｂを使用した場合は、緑（約５４０ｎｍ）付近の相対光度が減少して、結果的に青色に見えることになる。
【００１７】
また、図８は、透明樹脂板３Ａに紫色の着色フィルム３Ｂを貼り付けた着色パネル３の発光スペクトルの変化をグラフ化した図であり、Ｃｐは表示用ＬＥＤ７の白色光が紫色の着色パネル３を透過した後の発光スペクトルである。紫色の着色フィルム３Ｂを使用した場合は、緑（約５４０ｎｍ）付近の相対光度が大幅に減少して、結果的に紫色に見えることになる。
【００１８】
また、図９は、透明樹脂板３Ａに黄色の着色フィルム３Ｂを貼り付けた着色パネル３の発光スペクトルの変化をグラフ化した図であり、Ｃｙは表示用ＬＥＤ７の白色光が黄色の着色パネル３を透過した後の発光スペクトルである。黄色の着色フィルム３Ｂを使用した場合は、緑（約５４０ｎｍ）付近の相対光度が大幅に増加し、さらに赤（約６３０ｎｍ）付近の相対光度が緑（約５４０ｎｍ）に準じる大きさに増加して、結果的に黄色に見えることになる。
【００１９】
図５〜図９の結果から分るように、広いスペクトル領域を持つ表示用ＬＥＤ７の白色光のうち、着色パネル３の着色フィルム３Ｂの色の波長と同波長の色の成分が該着色パネル３を透過するので、着色フィルム３Ｂの板の色を変えるだけで様々な色を表示することが可能となる。
図２において、シャーシ８はフレーム２に固定され、上述したようにＬＥＤ基板６等を固定する。また、図３において、ＬＥＤ基板６は、表示装置１の両面それぞれに設けられる。また、飾り用ＬＥＤ９は、表示用ＬＥＤ７と同様の白色ＬＥＤである。
【００２０】
このように本実施の形態の表示装置１によれば、白色光を発光する表示用ＬＥＤ７と、表示用ＬＥＤ７の前方に離間配置し、所望の色の着色フィルム３Ｂを貼り付けた透明樹脂板３Ａからなる着色パネル３とを備えたので、安価に所望の色を表示することが可能となる。
【００２１】
なお、上記実施の形態では、着色パネル３は、光透過性を有する板材である透明樹脂板３Ａの一面に着色フィルム３Ｂを貼り付けたものであったが、透明樹脂板３Ａの面に有色インクで印刷（例えばシルク印刷）したものであってもよいし、光透過性を有する樹脂に顔料を混合して板状に成形したものであってもよい。着色フィルム３Ｂを使用した着色パネル３は、透明樹脂板３Ａがフラットであれば、簡単に取り付けることができ、低コストで実現できる。また、透明樹脂板３Ａの面に有色インクで印刷した着色パネル３は、インク調合により色や濃度を自由に変えられ、かつ、少ロットでも対応できるという利点がある。また、光透過性を有する樹脂に顔料を混合して板状に成形した着色パネルは、上記２つの着色パネルと比べて、耐用年数を長くできるという利点がある。
【００２２】
また、着色フィルム３Ｂや有色インクによる印刷も透明樹脂板３Ａの一面にのみ設けるのではなく、両面に設けてもよい。また、色の異なる複数の着色フィルムや、色の異なる有色インクを使用することも可能である。
【産業上の利用可能性】
【００２３】
本発明は、安価で自由に所望の色を表示することができるといった効果を有し、発光源にＬＥＤを用いて情報を発光表示する表示装置等への適用が可能である。
【図面の簡単な説明】
【００２４】
【図１】本発明の一実施の形態に係る表示装置の概観を示す斜視図
【図２】図１の表示装置の内部機構の一部を示す図
【図３】図１の表示装置の内部機構を省略した縦断面図
【図４】図１の表示装置の着色パネル発光スペクトル測定条件を示す図
【図５】図１の表示装置の着色パネルがピンク色の着色フィルムを有する場合の発光スペクトルの変化をグラフ化した図
【図６】図１の表示装置の着色パネルが緑色の着色フィルムを有する場合の発光スペクトルの変化を示す図
【図７】図１の表示装置の着色パネルが青色の着色フィルムを有する場合の発光スペクトルの変化を示す図
【図８】図１の表示装置の着色パネルが紫色の着色フィルムを有する場合の発光スペクトルの変化を示す図
【図９】図１の表示装置の着色パネルが黄色の着色フィルムを有する場合の発光スペクトルの変化を示す図
【符号の説明】
【００２５】
１  表示装置
２  フレーム
３  着色パネル
３Ａ  透明樹脂板
３Ｂ  着色フィルム
５  化粧ビス
６  ＬＥＤ基板
７  表示用ＬＥＤ
８  シャーシ
９  飾り用ＬＥＤ
１０  光センサ
１５  コントロールユニット
【図１】
2009222885.tif 000003
【図２】
2009222885.tif 000004
【図３】
2009222885.tif 000005
【図４】
2009222885.tif 000006
【図５】
2009222885.tif 000007
【図６】
2009222885.tif 000008
【図７】
2009222885.tif 000009
【図８】
2009222885.tif 000010
【図９】
2009222885.tif 000011